(57)【特許請求の範囲】
【請求項１】
空気調和機の運転状態を表示する運転状態表示装置であって、
過去、現在、および未来の運転状態の情報を取得する運転情報取得部と、
前記運転情報取得部の取得した情報に基づいて、前記過去、現在、および未来の各運転状態を表す点灯色をそれぞれ予め定められた位置に点灯する運転状態表示部と、
前記過去の運転状態の履歴、前記現在の運転状態の設定、または前記未来の運転状態の設定に関する画面を表示する画面表示部と、
前記画面表示部に表示する前記過去、現在、または未来の画面を選択する入力操作を受け付ける入力操作部とを備えることを特徴とする運転状態表示装置。
【請求項２】
前記運転状態表示部は、
現在の運転状態を点灯色で表す現在運転状態表示部と、
前記現在より所定時間前の過去の運転状態を点灯色で表す過去運転状態表示部と、
前記現在より所定時間先の未来の運転状態を点灯色で表す未来運転状態表示部とを有し、
前記過去運転状態表示部、前記現在運転状態表示部、および前記未来運転状態表示部がこの順に一列に配置された構成であり、
前記入力操作部は、
前記過去運転状態表示部に隣接または重ねて配置され、前記画面表示部に前記過去の画面を表示する入力操作を受け付ける過去入力操作部と、
前記現在運転状態表示部に隣接または重ねて配置され、前記画面表示部に前記現在の画面を表示する入力操作を受け付ける現在入力操作部と、
前記未来運転状態表示部に隣接または重ねて配置され、前記画面表示部に前記未来の画面を表示する入力操作を受け付ける未来入力操作部とを有することを特徴とする請求項１記載の運転状態表示装置。
【請求項３】
前記入力操作部は、タッチパネルを有し、当該タッチパネルに対するスライド操作を検知し、
前記運転状態表示部は、過去、現在、および未来の各運転状態を表す点灯色を時間軸に並べて点灯する点灯領域を有し、前記入力操作部の検知したスライド操作に連動して当該点灯領域内の前記時間軸を過去または未来の方向に移動し、前記点灯色を前記時間軸の移動に合わせて変更することを特徴とする請求項１記載の運転状態表示装置。
【請求項４】
前記画面表示部は、前記点灯領域内の前記時間軸に対応する運転状態の履歴または設定に関する画面を表示することを特徴とする請求項３記載の運転状態表示装置。
【請求項５】
運転状態を表示する運転状態表示装置を有する空気調和機であって、
前記運転状態表示装置は、
過去、現在、および未来の運転状態の情報を取得する運転情報取得部と、
前記運転情報取得部の取得した情報に基づいて、前記過去、現在、および未来の各運転状態を表す点灯色をそれぞれ予め定められた位置に点灯する運転状態表示部と、
前記過去の運転状態の履歴、前記現在の運転状態の設定、または前記未来の運転状態の設定に関する画面を表示する画面表示部と、
前記画面表示部に表示する前記過去、現在、または未来の画面を選択する入力操作を受け付ける入力操作部とを備えることを特徴とする空気調和機。
【発明の詳細な説明】
【技術分野】
【０００１】
この発明は、空気調和機の運転状態を表示する運転状態表示装置、およびこの運転状態表示装置を備えた空気調和機に関する。
【背景技術】
【０００２】
例えば、特許文献１に係る空気調和機の制御装置は、空気調和機が空調空間の温度を下げようとしているのか、上げようとしているのか、現状維持しようとしているのかを検知する運転状態検知手段と、検知結果に基づいて現在の運転状態を表示する運転状態表示手段とを備えていた。【０００３】
また例えば、特許文献２に係る空気調和機は、運転状態（運転モード）に対応した色を発光する表示部を備え、冷房運転を行っているときは青色、暖房運転を行っているときは赤色、除湿運転を行っているときは緑色というような、各運転状態をイメージするような色を有する光を表示していた。【０００４】
また例えば、特許文献３に係る空気調和機は、異常が発生しているセンサに応じた点滅パターンに基づいてＬＥＤを点滅させ、異常状態を表示していた。
【先行技術文献】
【特許文献】
【０００５】
【特許文献１】特開平５−１１８６２８号公報
【特許文献２】特開２００２−１３７９５号公報
【特許文献３】特開平９−１５２２３５号公報
【発明の概要】
【発明が解決しようとする課題】
【０００６】
近年、冷媒圧縮機によって圧縮された冷媒で水を加熱するヒートポンプ式の冷暖房・給湯システム（Ａｉｒ  Ｔｏ  Ｗａｔｅｒ；ＡＴＷシステム）が提案されている。【０００７】
＜ＡＴＷシステムの特徴＞
このＡＴＷシステムは、コントローラで設定を変更してから、実際の室温または給湯温度が設定値に達するまでに時間がかかる特徴がある。そのため、省エネルギ性および快適性を維持するためには、早い段階で最適な設定に変更する必要がある。【０００８】
＜コントローラの利用実態＞
多くのユーザは、一度決めた運転計画（スケジュール機能）に従って自動制御によりＡＴＷシステムを管理しているため、コントローラの操作頻度が非常に少ない。
また、ＡＴＷシステムの省エネルギ性および快適性を向上させたいと思っても、コントローラの設定操作に馴染みがなく、設定方法が分からないことから、設定操作を諦めているユーザが多い。
従って、ＡＴＷシステムの省エネルギ性および快適性が向上する設定方法が分かれば、こまめにコントローラを操作するようになると予想される。【０００９】
しかしながら、上記特許文献１〜３のような従来の空気調和機は、現在の運転状態または異常状態を表示する構成であるため、今後の運転計画が分からず、早い段階で設定変更が必要かどうか判断しにくかった。そのため、設定変更が必要な状況であることに気付きにくいという課題があった。【００１０】
また、従来の空気調和機においては、過去の運転履歴および今後の運転計画の各画面を表示して情報を確認した後、設定を変更する構成であるため、操作手順が多く、素早く手軽に設定変更ができないという課題があった。【００１１】
この発明は、上記のような課題を解決するためになされたもので、設定変更が必要な状況に早い段階で気付きやすく、かつ、設定変更を簡単に実施できる運転状態表示装置、およびこの運転状態表示装置を用いた空気調和機を提供することを目的とする。
【課題を解決するための手段】
【００１２】
この発明の運転状態表示装置は、過去、現在、および未来の運転状態の情報を取得する運転情報取得部と、運転情報取得部の取得した状態に基づいて、過去、現在、および未来の各運転状態を表す点灯色をそれぞれ予め定められた位置に点灯する運転状態表示部と、過去の運転状態の履歴、現在の運転状態の設定、または未来の運転状態の設定に関する画面を表示する画面表示部と、画面表示部に表示する過去、現在、または未来の画面を選択する入力操作を受け付ける入力操作部とを備えるものである。
【００１３】
この発明の空気調和機は、上述の運転状態表示装置を用いて運転状態を表示するようにしたものである。
【発明の効果】
【００１４】
この発明によれば、現在の運転状態だけでなく、過去および未来の運転状態を表す点灯色を点灯することにより、空気調和機の設定変更が必要な状況を早い段階で気付きやすくすることができる。また、入力操作部が、過去の運転状態の履歴画面、現在の運転状態の設定画面、または未来の運転状態の設定画面の画面選択を受け付けて画面表示させることにより、空気調和機の設定変更が必要な場合に、素早く手軽に設定変更用の画面を表示することができ、設定変更を簡単に実施することができる。
【図面の簡単な説明】
【００１５】
【図１】この発明の実施の形態１に係る運転状態表示装置の筐体前面を示す外観図である。
【図２】実施の形態１に係る冷暖房・給湯システムの構成例を示すブロック図である。
【図３】実施の形態１に係る運転状態表示装置の構成例を示すブロック図である。
【図４】実施の形態１に係る運転状態表示装置の状態表示動作を示すフローチャートである。
【図５】実施の形態１に係る運転状態表示装置の画面遷移動作を示すフローチャートであり、運転履歴表示画面へ遷移する場合の例である。
【図６】実施の形態１に係る運転状態表示装置の画面遷移例を説明する図である。
【図７】実施の形態１に係る運転状態表示装置の画面遷移動作を示すフローチャートであり、設定内容表示画面へ遷移する場合の例である。
【図８】実施の形態１に係る運転状態表示装置の画面遷移動作を示すフローチャートであり、運転計画表示画面へ遷移する場合の例である。
【図９】この発明の実施の形態２に係る運転状態表示装置の筐体前面を示す外観図である。
【図１０】実施の形態２に係る運転状態表示装置の構成例を示すブロック図である。
【発明を実施するための形態】
【００１６】
以下、この発明をより詳細に説明するために、この発明を実施するための形態について、添付の図面に従って説明する。
実施の形態１．
図１は、本実施の形態１に係る運転状態表示装置１０の筐体前面の構成例を示す外観図である。図２は、この運転状態表示装置１０を適用したヒートポンプ式の冷暖房・給湯システム１の構成例である。図２に示すように、冷暖房・給湯システム１は、水を加熱するヒートポンプユニット２、ヒートポンプユニット２で作られた湯水を貯める貯湯ユニット３、貯湯ユニット３の湯水を熱源にして室内を暖房するラジエータ４、貯湯ユニット３から給湯する給水栓５および浴槽６、ならびに、これらの機器を接続する配管７などを備えている。さらに冷暖房・給湯システム１は、運転状態を表示する運転状態表示装置１０を備えている。冷暖房・給湯システム１の各機器と運転状態表示装置１０とは、無線接続または有線接続され、通信可能になっている。
【００１７】
図１に示すように、運転状態表示装置１０の筐体前面には、冷暖房・給湯システム１の過去、現在、および未来の各運転モード（運転状態）を各点灯色で表現する過去運転状態表示部１１、現在運転状態表示部１２、および未来運転状態表示部１３が配置されている。過去運転状態表示部１１は、例えば青、橙、および緑などの複数の点灯色を点灯可能なＬＥＤ（発光ダイオード）を有する構成である。現在運転状態表示部１２および未来運転状態表示部１３も同様にＬＥＤを有する構成である。
【００１８】
また、この筐体前面には、過去の運転履歴、現在の設定情報、および未来の運転計画に関する画面を表示するための入力操作を受け付ける過去入力操作部１４、現在入力操作部１５、および未来入力操作部１６と、この入力操作に応じた画面を表示する画面表示部１７とが配置されている。過去入力操作部１４、現在入力操作部１５および未来入力操作部１６は、例えばボタンであり、画面表示部１７は、例えばタッチディスプレイである。
なお、図１の画面表示部１７には、ラジエータ４が目標とする室温の設定値と、貯湯ユニット３の残存湯量を表す初期画面が表示されている。
【００１９】
さらに運転状態表示装置１０は、図３に示すように、冷暖房・給湯システム１の運転計画を記憶する運転計画保持部２１と、運転計画から設定情報を求めて冷暖房・給湯システム１の運転を制御する制御部２２と、制御部２２の設定情報保持部２２ａが一時的に記憶する設定情報を取得して運転履歴として記憶する運転履歴保持部２３と、これら運転計画、設定情報および運転履歴を取得する運転情報取得部２４と、運転履歴を解析する解析部２５と、画面表示部１７に表示する画面を生成および制御する画面表示制御部２６とを備えている。
【００２０】
運転計画保持部２１は、冷暖房・給湯システム１の運転計画として時系列の運転モードを記憶している。ここでは、運転モードの例として、省エネモード、快適モード、省エネ＆快適モードの３種類を設定する。
省エネモードとは、ユーザが不在の場合を想定した運転モードであり、配管７などの凍結を防止可能な程度の動作を行う運転状態とする。快適モードとは、ユーザが在室している場合を想定した運転モードであり、室温を高めに維持したり、給湯用に残存湯量を高めに維持したりする運転状態とする。省エネ＆快適モードとは、ユーザが就寝している場合を想定した運転モードであり、寝室の室温を高めに維持しつつそれ以外の場所の室温を低くしたり、残存湯量を低めに維持したりする運転状態とする。これらの運転モードの条件に合致するように、ラジエータ４が目標とする室温の設定値、貯湯ユニット３の残存湯量の設定値、貯湯ユニット３から給水栓５および浴槽６へ供給する給湯温度の設定値などが運転計画保持部２１に設定されている。
【００２１】
制御部２２は、この運転計画に従って冷暖房・給湯システム１の各機器を制御し、室温および残存湯量などを設定値に維持する。また、制御部２２は制御中の設定値などを設定情報として設定情報保持部２２ａに記憶し、新たな設定情報を上書きする前に運転履歴保持部２３へ移動する。
運転履歴保持部２３は、運転履歴として過去の設定情報を記憶する。
【００２２】
運転計画保持部２１、設定情報保持部２２ａ、および運転履歴保持部２３は、共通の記憶素子および記憶装置などで構成してもよいし、それぞれ独立した記憶素子および記憶装置などで構成してもよい。また、制御部２２、運転情報取得部２４、解析部２５、および画面表示制御部２６は、例えば、共通のマイクロコンピュータ（以下、マイコン）に搭載されていてもよいし、それぞれ独立したマイコンに搭載されていてもよい。このマイコンが、内蔵メモリに記録されたプログラムを逐次読み出して実行することにより、後述する制御部２２、運転情報取得部２４、解析部２５、および画面表示制御部２６としての機能を実行する。
【００２３】
次に、図４に示すフローチャートを用いて、運転状態表示装置１０の状態表示動作を説明する。
先ずステップＳＴ１において、運転情報取得部２４はマイコンの計時する現在時刻を取得し、その時刻を「現在」と定義する。続くステップＳＴ２において運転情報取得部２４は、ステップＳＴ１において定義した現在時刻から所定時間先（例えば、３時間先）を「未来」と定義する。続くステップＳＴ３において運転情報取得部２４は、ステップＳＴ１において定義した現在時刻から所定時間前（例えば、３時間前）を「過去」と定義する。
例えば、現在時刻が１８：００の場合は、過去が１５：００、未来が２１：００となる。
【００２４】
続いて運転情報取得部２４は、ステップＳＴ４において「現在」の時刻の運転情報を設定情報保持部２２ａから取得し、ステップＳＴ５において「未来」の時刻の運転情報を運転計画保持部２１から取得し、ステップＳＴ６において「過去」の時刻の運転情報を運転履歴保持部２３から取得する。
【００２５】
続いて運転情報取得部２４は、「過去」、「現在」、および「未来」の運転情報に対して運転モードの判定を繰り返し行う（ステップＳＴ７〜ＳＴ１３）。
例えば「過去」の運転モードを判定する場合、先ずステップＳＴ８において、運転情報取得部２４は「過去」の運転情報が省エネモードであるかどうかを判定する。運転計画、設定情報、および運転履歴が運転モードの情報を含む構成の場合、運転情報取得部２４は運転モードが省エネモードであるかどうかを判定すればよい。運転計画、設定情報、および運転履歴が運転モードの情報を含まない構成の場合、運転情報取得部２４は予め与えられた省エネモード判定条件と室温などの設定値とを照合して、省エネモードであるかどうかを判定すればよい。
【００２６】
省エネモードであると判定された場合（ステップＳＴ８“ＹＥＳ”）、運転情報取得部２４から過去運転状態表示部１１に指示を出し、過去運転状態表示部１１を省エネモードに割り当てられた色（例えば、青色）に点灯する（ステップＳＴ９）。省エネモードでないと判定された場合（ステップＳＴ８“ＮＯ”）、ステップＳＴ１０において、運転情報取得部２４は「過去」の運転情報が快適モードであるかどうかを判定する。快適モードの判定方法は、上述の省エネモードの判定方法と同様に行えばよい。
【００２７】
快適モードであると判定された場合（ステップＳＴ１０“ＹＥＳ”）、運転情報取得部２４から過去運転状態表示部１１に指示を出し、過去運転状態表示部１１を快適モードに割り当てられた色（例えば、橙色）に点灯する（ステップＳＴ１１）。快適モードでないと判定された場合（ステップＳＴ１０“ＮＯ”）、運転情報取得部２４から過去運転状態表示部１１に指示を出し、過去運転状態表示部１１を省エネ＆快適モードに割り当てられた色（例えば、緑色）に点灯する。
【００２８】
運転情報取得部２４は、「過去」と同様に、「現在」および「未来」の運転モードを判定し、現在運転状態表示部１２および未来運転状態表示部１３を運転モードに割り当てられた色に点灯する。運転情報取得部２４は「過去」、「現在」、および「未来」の運転情報の判定を終えると（ステップＳＴ１３）、繰り返し処理を終了する。
【００２９】
以上の動作により、例えば、過去運転状態表示部１１が省エネ＆快適モードの緑色、現在運転状態表示部１２が省エネモードの青色、未来運転状態表示部１３が快適モードの橙色で点灯した状態となる。そのため、ユーザは、運転状態表示装置１０から離れた場所から点灯色を見て、過去、現在、および未来の運転モードを知ることができる。その結果、ユーザは運転状態表示装置１０へ近づくことなく、設定変更が必要な状態かどうか判断することができる。
【００３０】
例えば、ユーザが就寝する際に現在運転状態表示部１２および未来運転状態表示部１３が快適モードを表す橙色で点灯している場合、現在および未来の設定を快適モードから省エネ＆快適モードへ変更する判断ができ、省エネルギ性を向上させる設定に変更可能となる。また例えば、ユーザが帰宅した際に現在運転状態表示部１２が省エネモードを表す青色で点灯している場合、現在の設定を省エネモードから快適モードへ変更する判断ができ、快適性を向上させる設定に変更可能となる。
【００３１】
次に、運転モードの変更方法を説明する。
先ず、図５に示すフローチャートを用いて、過去入力操作部１４が押下された場合の運転状態表示装置１０の画面遷移動作を説明する。
ユーザが過去入力操作部１４を押下した場合、過去入力操作部１４からこの入力操作を通知された運転情報取得部２４は、マイコンの計時する現在時刻を取得し、その時刻を「現在」と定義する（ステップＳＴ２１）。続くステップＳＴ２２において運転情報取得部２４は、ステップＳＴ２１において定義した現在時刻から所定時間前（例えば、３時間前）を「過去」と定義し、画面表示制御部２６へ「過去」の時刻を通知する。続くステップＳＴ２３において画面表示制御部２６は、「過去」と定義された時刻を起点にした所定期間の解析結果を解析部２５から取得して運転履歴表示画面を生成し、画面表示部１７に表示する。
【００３２】
ここで、図６に運転状態表示装置１０の画面遷移例を示す。この例では、解析部２５が運転履歴を解析して１週間ごとの消費熱量を算出する。そして、過去入力操作部１４が押下されると、画面表示制御部２６が「過去」の時刻を起点にして過去５週間分の消費熱量のグラフを生成して運転履歴表示画面１０１とする。過去入力操作部１４の押下により運転履歴表示画面１０１が表示されるので、運転モードの設定を変更したことによりどれくらいの省エネルギ効果があったか、素早く手軽に確認できる。
【００３３】
なお、図５および図６の例では、画面表示制御部２６が解析部２５の解析結果から運転履歴表示画面１０１を生成したが、これに限定されるものではなく、画面表示制御部２６が運転履歴保持部２３に記憶されている運転履歴から、直接、運転履歴表示画面１０１を生成してもよい。
また、画面表示制御部２６は、ユーザによる画面表示部１７へのタッチ操作に対応して、週単位、日単位、時間単位の消費熱量グラフに切り替える等の動作を行ってもよい。
【００３４】
次に、図７に示すフローチャートを用いて、現在入力操作部１５が押下された場合の運転状態表示装置１０の画面遷移動作を説明する。
ユーザが現在入力操作部１５を押下した場合、現在入力操作部１５からこの入力操作を通知された運転情報取得部２４は、マイコンの計時する現在時刻を取得し、その時刻を「現在」と定義し、画面表示制御部２６へ「現在」の時刻を通知する（ステップＳＴ３１）。続くステップＳＴ３２において画面表示制御部２６は、「現在」と定義された時刻の設定情報を設定情報保持部２２ａから取得して設定内容表示画面を生成し、画面表示部１７に表示する。
【００３５】
図６の例では、現在入力操作部１５が押下されると、画面表示制御部２６が「現在」の室温および残存湯量の設定値を設定情報保持部２２ａから取得して設定内容表示画面１０２を生成する。例えば、ユーザが設定内容表示画面１０２の「＋」または「−」ボタンをタッチ操作すると、画面表示制御部２６がこのタッチ操作を制御部２２へ通知し、制御部２２が室温の設定値を増減する。また例えば、ユーザが設定内容表示画面１０２の「ＳＡＶＥ」、「ＮＯＲＭＡＬ」、または「ＢＯＯＳＴ」ボタンをタッチ操作すると、画面表示制御部２６がこのタッチ操作を制御部２２へ通知し、制御部２２が残存湯量の設定値を変更する。また、設定内容表示画面１０２に運転モードの選択ボタンを表示して、現在の運転モードの設定を変更する構成でもよい。現在運転状態表示部１２の押下により設定内容表示画面１０２が表示されるので、ユーザは素早く手軽に現在の設定を変更することができる。
【００３６】
次に、図８に示すフローチャートを用いて、未来入力操作部１６が押下された場合の運転状態表示装置１０の画面遷移動作を説明する。
ユーザが未来入力操作部１６を押下した場合、未来入力操作部１６からこの入力操作を通知された運転情報取得部２４は、マイコンの計時する現在時刻を取得し、その時刻を「現在」と定義する（ステップＳＴ４１）。続くステップＳＴ４２において運転情報取得部２４は、ステップＳＴ４１において定義した現在時刻から所定時間先（例えば、３時間先）を「未来」と定義し、画面表示制御部２６へ「未来」の時刻を通知する。続くステップＳＴ４３において画面表示制御部２６は、「未来」と定義された時刻を起点にした所定期間の運転計画を運転計画保持部２１から取得して運転計画表示画面を生成し、画面表示部１７に表示する。
【００３７】
図６の例では、未来入力操作部１６が押下されると、画面表示制御部２６が「未来」の時刻を起点にして今後略１日分の室温および残存湯量の設定値を取得してグラフを生成して運転計画表示画面１０３とする。例えば、ユーザが運転計画表示画面１０３のグラフ曲線をタッチ操作で上下にスライドすると、画面表示制御部２６がスライド操作の操作量を制御部２２へ通知し、制御部２２が運転計画保持部２１の運転計画の設定値を操作量に応じて増減する。未来運転状態表示部１３の押下により運転計画表示画面１０３が表示されるので、ユーザは素早く手軽に運転計画を変更することができる。
【００３８】
なお、運転履歴表示画面１０１、設定内容表示画面１０２、および運転計画表示画面１０３は図６の例に限定されるものではなく、それぞれ、過去の運転状態の履歴、現在の運転状態の設定、および未来の運転状態の設定に関する画面であればよい。
【００３９】
以上より、実施の形態１によれば、運転状態表示装置１０は、冷暖房・給湯システム１の過去、現在、および未来の運転状態の情報を取得する運転情報取得部２４と、運転情報取得部２４の取得した情報に基づいて、過去、現在、および未来の各運転状態を表す点灯色を点灯する過去運転状態表示部１１、現在運転状態表示部１２、および未来運転状態表示部１３と、運転履歴表示画面１０１、設定内容表示画面１０２、または運転計画表示画面１０３を表示する画面表示部１７と、画面表示部１７に表示する運転履歴表示画面１０１、設定内容表示画面１０２、または運転計画表示画面１０３を選択する入力操作を受け付ける入力操作部とを備えるように構成した。このように、現在の運転状態だけでなく、過去および未来の運転状態を表す点灯色を点灯することにより、冷暖房・給湯システム１の設定変更が必要な状況を早い段階で気付きやすくすることができる。また、過去入力操作部１４が運転履歴表示画面１０１の画面選択を受け付け、現在入力操作部１５が設定内容表示画面１０２の画面選択を受け付け、未来入力操作部１６が運転計画表示画面１０３の画面選択を受け付けて画面表示部１７に表示させることにより、冷暖房・給湯システム１の設定変更が必要な場合に、素早く手軽に設定変更用の画面を表示することができ、設定変更を簡単に実施することができる。
【００４０】
また、実施の形態１によれば、運転状態表示装置１０において、運転状態表示部は、現在の運転状態を点灯色で表す現在運転状態表示部１２と、現在より所定時間前の過去の運転状態を点灯色で表す過去運転状態表示部１１と、現在より所定時間先の未来の運転状態を点灯色で表す未来運転状態表示部１３とを有し、過去運転状態表示部１１、現在運転状態表示部１２、および未来運転状態表示部１３がこの順に一列に配置された構成であり、入力操作部は、過去運転状態表示部１１に隣接され画面表示部１７に運転履歴表示画面１０１を表示する入力操作を受け付ける過去入力操作部１４と、現在運転状態表示部１２に隣接され画面表示部１７に設定内容表示画面１０２を表示する入力操作を受け付ける現在入力操作部１５と、未来運転状態表示部１３に隣接され画面表示部１７に運転計画表示画面１０３を表示する入力操作を受け付ける未来入力操作部１６とを有するように構成した。このように、過去、現在、および未来それぞれについて運転状態表示部と入力操作部とを近くに配置することで、ユーザが直感的に操作しやすくなる。
【００４１】
なお、図１の例では、過去運転状態表示部１１と過去入力操作部１４を隣接して配置したが、過去運転状態表示部１１のＬＥＤを過去入力操作部１４のボタン内部に設置するなどして一体化してもよい。現在運転状態表示部１２および未来運転状態表示部１３も同様である。
【００４２】
実施の形態２．
図９は、本実施の形態２に係る運転状態表示装置１０の筐体前面の構成例を示す外観図であり、過去の運転履歴表示画面１１１、現在の設定内容表示画面１１２、および未来の運転計画表示画面１１３の画面遷移例である。図１０は、この運転状態表示装置１０の構成例を示すブロック図である。なお、図９および図１０において、図１〜図３と同一または相当の部分については同一の符号を付し説明を省略する。
【００４３】
図９に示すように、本実施の形態２に係る運転状態表示装置１０の筐体前面には、冷暖房・給湯システム１（図２）の過去、現在、および未来の各運転モード（運転状態）を表す点灯色を時間軸に並べて点灯する運転状態表示部３０が配置されている。この運転状態表示部３０は、例えば青、橙、および緑などの複数の点灯色を点灯可能なＬＥＤを一列に並べた点灯領域３１を有する構成であり、一列に並べたＬＥＤと時間軸とが対応関係にある。なお、図９の例では、点灯領域３１に設定された時間軸を、画面表示部１７が表示している。
【００４４】
また、この筐体前面には、過去の運転履歴、現在の設定情報、および未来の運転計画に関する画面を画面表示部１７に表示するための入力操作を受け付ける入力操作部３２が配置されている。この入力操作部３２は、筐体前面に配置されたタッチパネル３３と、タッチパネル３３に対するユーザのスライド操作を検知するスライド操作検知部３４（図１０）とを備えている。
【００４５】
運転情報取得部２４の動作は概ね図４に示したフローチャートに沿って行われるため、ここでは図４を援用して説明する。
運転情報取得部２４は、スライド操作検知部３４からスライド操作検知の通知がない場合（即ち、タッチパネル３３に対するユーザのスライド操作がない場合）、先ず、マイコンの計時する現在時刻を取得し、その時刻を「現在」と定義する（図４のステップＳＴ１）。続いて、運転情報取得部２４は、「現在」と定義した時刻を起点にして過去および未来の方向に向かって所定時間ごと（例えば、３時間ごと）に時間軸を区分し（ステップＳＴ２，ＳＴ３）、区分した時刻ごとの運転情報を運転計画保持部２１、設定情報保持部２２ａ、および運転履歴保持部２３から取得する（ステップＳＴ４〜ＳＴ６）。続いて運転情報取得部２４は、区分した時刻ごとの運転情報に対して運転モードの判定を繰り返し行い、区分した時刻ごとの点灯領域３１のＬＥＤを運転モードに割当てられた色に点灯する（ステップＳＴ７〜ＳＴ１３）。
【００４６】
また、このとき、運転情報取得部２４から画面表示制御部２６へ、「現在」の時刻と、点灯領域３１に設定した時間軸の情報を通知する。画面表示制御部２６は、通知に基づいて画面表示部１７に表示する時間軸を生成する。また、画面表示制御部２６は、通知された時間軸の時刻ごとの室温の設定値を運転計画保持部２１、設定情報保持部２２ａ、および運転履歴保持部２３から取得し、時系列のヒートカーブ曲線を生成する。さらに、画面表示制御部２６は、設定情報保持部２２ａから現在時刻の設定情報（室温および残存湯量の設定値など）を取得して、設定情報を時間軸およびヒートカーブ曲線に重畳させた設定内容表示画面１１２を生成し、画面表示部１７に表示する。
【００４７】
以上の動作により、運転状態表示部３０の点灯領域３１は、現在時刻を含む過去から未来の時間軸に沿って、時刻ごとの運転モードを表す点灯色で点灯した状態となる。図９の設定内容表示画面１１２では、点灯領域３１のうち、現在時刻１８：００を含む１５：００〜２１：００に対応する領域３１ａが快適モードを表す橙色で点灯し、１５：００より過去の時刻に対応する領域３１ｂが省エネモードを表す青色で点灯し、２１：００より未来の時刻に対応する領域３１ｃが省エネ＆快適モードを表す緑色で点灯した状態となる。そのため、ユーザは、運転状態表示装置１０から離れた場所から点灯色を見て、過去、現在、および未来の運転モードを知ることができ、運転状態表示装置１０へ近づくことなく設定変更が必要な状態かどうか判断することができる。
【００４８】
他方、スライド操作検知部３４がタッチパネル３３に対するスライド操作を検知した場合、運転情報取得部２４は、検知されたスライド操作の方向に連動して点灯領域３１の時間軸を過去または未来の方向に向かって、スライド操作量に相当する時間分移動する。例えば、図９に示すように、ユーザがタッチパネル３３の地点Ａから地点Ｂに向かってスライド操作した場合、運転情報取得部２４はスライド操作に連動して点灯領域３１の時間軸を過去の方向へ略３時間分移動する。そして、運転情報取得部２４は、点灯領域３１のＬＥＤを、移動した時間軸の所定時刻ごとの運転モードに割り当てた色に点灯する。
【００４９】
また、このとき、運転情報取得部２４から画面表示制御部２６へ、点灯領域３１の移動した時間軸の情報を通知する。画面表示制御部２６はこの通知に基づいて、点灯領域３１の時間軸の移動と連動するように、画面表示部１７に表示する時間軸およびヒートカーブ曲線を制御する。
【００５０】
スライド操作終了後、画面表示制御部２６は、点灯領域３１内の時間軸が「現在」の時刻より過去の場合、その時間軸に対応する運転履歴の解析結果を解析部２５より取得して、時間軸およびヒートカーブ曲線に重畳させた運転履歴表示画面１１１を生成し、画面表示部１７に表示する。一方、点灯領域３１内の時間軸が「現在」の時刻より未来の場合、画面表示制御部２６は、その時間軸に対応する運転計画を運転計画保持部２１より取得して、時間軸およびヒートカーブ曲線に重畳させた運転計画表示画面１１３を生成し、画面表示部１７に表示する。
【００５１】
以上の動作により、点灯領域３１の時間軸上の点灯色がスライド操作に連動して変化するため、ユーザは点灯領域３１をスライダでスクロールさせる感覚で、時間軸を自然に切り替えることができる。従って、素早く手軽に、運転履歴を確認したり、現在または未来の設定を変更したりすることができる。また、運転履歴表示画面１１１、設定内容表示画面１１２、および運転計画表示画面１１３の３つの画面すべてにヒートカーブ曲線を表示して、各画面をシームレスにつなぐことで、シンプルなユーザインタフェースを実現することができる。
【００５２】
以上より、実施の形態２によれば、入力操作部３２は、タッチパネル３３と、このタッチパネル３３に対するスライド操作を検知するスライド操作検知部３４とを有し、運転状態表示部３０は、過去、現在、および未来の各運転状態を表す点灯色を時間軸に並べて点灯する点灯領域３１を有し、入力操作部３２の検知したスライド操作に連動して点灯領域３１内の時間軸を過去または未来の方向に移動し、点灯色を時間軸の移動に合わせて変更するように構成した。このため、冷暖房・給湯システム１の設定変更が必要な状況を早い段階で気付きやすくすることができる。
【００５３】
また、実施の形態２によれば、画面表示部１７は、点灯領域３１内の時間軸に対応して運転履歴表示画面１１１、設定内容表示画面１１２、または運転計画表示画面１１３を表示する構成にした。このため、冷暖房・給湯システム１の設定変更が必要な場合に、素早く手軽に設定変更用の画面を表示することができ、設定変更を簡単に実施することができる。
【００５４】
なお、図９の例では、運転状態表示部３０の点灯領域３１と入力操作部３２のタッチパネル３３を隣接して配置したが、タッチパネル３３をタッチディスプレイに変更して点灯領域３１の機能を追加するなどして一体化してもよい。
【００５５】
また、上記実施の形態１，２では、過去運転状態表示部１１、現在運転状態表示部１２、未来運転状態表示部１３、および運転状態表示部３０を、運転状態表示装置１０の筐体前面に配置したが、この位置に限定されるものではなく、これら表示部の点灯する光が筐体前面に見える配置であればよい。
【００５６】
また、上記実施の形態１，２では、ヒートポンプ式の冷暖房・給湯システム１に運転状態表示装置１０を適用した例を説明したが、これ以外の空気調和機に対して運転状態表示装置１０を適用してもよい。また、冷暖房・給湯システム１の運転モードの例として、省エネモード、快適モード、省エネ＆快適モードの３つのモードを挙げたが、これらの運転モードに限定されるものではない。
【００５７】
上記以外にも、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５８】
以上のように、この発明に係る運転状態表示装置は、過去、現在、および未来の運転状態を表す点灯色を点灯して、早い段階で最適な設定に変更できるようにしたので、特に、設定を変更してから実際の室温などが設定値に達するまでに時間がかかる特性の空気調和機などに用いるのに適している。
【符号の説明】
【００５９】
１  冷暖房・給湯システム（空気調和機）、２  ヒートポンプユニット、３  貯湯ユニット、４  ラジエータ、５  給水栓、６  浴槽、７  配管、１０  運転状態表示装置、１１  過去運転状態表示部、１２  現在運転状態表示部、１３  未来運転状態表示部、１４  過去入力操作部、１５  現在入力操作部、１６  未来入力操作部、１７  画面表示部、２１  運転計画保持部、２２  制御部、２２ａ  設定情報保持部、２３  運転履歴保持部、２４  運転情報取得部、２５  解析部、２６  画面表示制御部、３０  運転状態表示部、３１  点灯領域、３２  入力操作部、３３  タッチパネル、３４  スライド操作検知部、１００  初期画面、１０１，１１１  運転履歴表示画面、１０２，１１２  設定内容表示画面、１０３，１１３  運転計画表示画面。
【図１】
0005985042.tif 000002
【図２】
0005985042.tif 000003
【図３】
0005985042.tif 000004
【図４】
0005985042.tif 000005
【図５】
0005985042.tif 000006
【図６】
0005985042.tif 000007
【図７】
0005985042.tif 000008
【図８】
0005985042.tif 000009
【図９】
0005985042.tif 000010
【図１０】
0005985042.tif 000011